(57)【要約】      （修正有）【課題】省スペース性に優れ、かつレーザ光の平坦度を向上させることができるレーザ装置を提供すること。【解決手段】レーザ装置１は、１つ以上の焼灼用ＬＤ１１と２つ以上の光コンバイナ１２とを備え、焼灼用ＬＤの出力側は、１つの光コンバイナの入力側に接続されており、１つの光コンバイナの出力側は、別の光コンバイナの入力側に接続されている。【選択図】図１
2020160310.tif 000002
【特許請求の範囲】
【請求項１】
１つ以上のレーザダイオードと２つ以上の光コンバイナとを備え、
前記レーザダイオードの出力側は、１つの光コンバイナの入力側に接続されており、
前記１つの光コンバイナの出力側は、別の光コンバイナの入力側に接続されていることを特徴とするレーザ装置。
【請求項２】
前記光コンバイナは、マルチモード光ファイバ入出力であることを特徴とする請求項１に記載のレーザ装置。
【請求項３】
前記光コンバイナは、２：１光コンバイナであることを特徴とする請求項１または請求項２に記載のレーザ装置。
【請求項４】
前記光コンバイナを２つ備え、
第一の光コンバイナの出力側は、第二の光コンバイナの入力側に接続されていることを特徴とする請求項１から請求項３のいずれか一項に記載のレーザ装置。
【請求項５】
前記光コンバイナを３つ備え、
第一の光コンバイナの出力側は、第二の光コンバイナの入力側に接続されており、
第二の光コンバイナの出力側は、第三の光コンバイナの入力側に接続されていることを特徴とする請求項１から請求項３のいずれか一項に記載のレーザ装置。
【請求項６】
前記レーザダイオードは、マルチモード光ファイバ出力であることを特徴とする請求項１から請求項５のいずれか一項に記載のレーザ装置。
【請求項７】
前記レーザダイオードを２つ以上備え、
前記レーザダイオードは、それぞれ別の光コンバイナの入力側に接続されていることを特徴とする請求項１から請求項６のいずれか一項に記載のレーザ装置。
【請求項８】
前記レーザダイオードの数は、前記光コンバイナの入力ポートを合計した数よりも少ないこと特徴とする請求項１から請求項７のいずれか一項に記載のレーザ装置。
【請求項９】
非対称タップカプラを備え、
前記非対称タップカプラの入力側は、最後段に配置された前記光コンバイナの出力側に接続されていること特徴とする請求項１から請求項８のいずれか一項に記載のレーザ装置。
【発明の詳細な説明】
【技術分野】
【０００１】
本発明は、レーザ装置に関する。
【背景技術】
【０００２】
カテーテルを患者の体内に挿入し、当該カテーテル内の光ファイバの先端から、患部等の対象箇所に向かってレーザ光を照射することにより治療を行うレーザ装置が知られている。このようなレーザ光による焼灼では、ガウシアン光の他に、レーザ光のビームプロファイルの平坦度が高いビームを用いることがある。なお、以下ではレーザ光のビームプロファイルの平坦度のことを単に「レーザ光の平坦度」と表記する。
【０００３】
このようなレーザ光の平坦度を向上させるための技術として、例えば特許文献１には、複数の光導波路により導波した光を光伝送体の入射端に入力し、当該光を光伝送体の光伝送領域に閉じ込めて伝送することにより、レーザ光の平坦度を向上させる構成が開示されている。
【０００４】
また、特許文献２には、マルチモード光ファイバ出力のガウシアンビームをフラットトップビームに変換する構成が開示されている。また、特許文献３には、高輝度光源によって発せられた光を、空間的に平坦な光強度分布を有する遠視野ビーム断面プロファイルを有する出射光ビームへと再分布するビーム整形光学素子を備えた構成が開示されている。
【先行技術文献】
【特許文献】
【０００５】
【特許文献１】特開２００５−１５７２２５号公報
【特許文献２】特開２０１８−５３４１１０号公報
【特許文献３】特開２０１８−５２１４７８号公報
【発明の概要】
【発明が解決しようとする課題】
【０００６】
しかしながら、特許文献１〜３で開示された構成では、装置構成が複雑、あるいは大きな配置スペースが必要となるため、例えば医療用カテーテル等の細管内では使用できないという問題があった。
【０００７】
本発明は、上記に鑑みてなされたものであって、省スペース性に優れ、かつレーザ光の平坦度を向上させることができるレーザ装置を提供することを目的とする。
【課題を解決するための手段】
【０００８】
上述した課題を解決し、目的を達成するために、本発明の一態様に係るレーザ装置は、１つ以上のレーザダイオードと２つ以上の光コンバイナとを備え、前記レーザダイオードの出力側が、１つの光コンバイナの入力側に接続されており、前記１つの光コンバイナの出力側が、別の光コンバイナの入力側に接続されていることを特徴とする。
【０００９】
本発明の一態様に係るレーザ装置は、前記光コンバイナが、マルチモード光ファイバ入出力であることを特徴とする。
【００１０】
本発明の一態様に係るレーザ装置は、前記光コンバイナが、２：１光コンバイナであることを特徴とする。
【００１１】
本発明の一態様に係るレーザ装置は、前記光コンバイナを２つ備え、第一の光コンバイナの出力側が、第二の光コンバイナの入力側に接続されていることを特徴とする。
【００１２】
本発明の一態様に係るレーザ装置は、前記光コンバイナを３つ備え、第一の光コンバイナの出力側が、第二の光コンバイナの入力側に接続されており、第二の光コンバイナの出力側が、第三の光コンバイナの入力側に接続されていることを特徴とする。
【００１３】
本発明の一態様に係るレーザ装置は、前記レーザダイオードが、マルチモード光ファイバ出力であることを特徴とする。
【００１４】
本発明の一態様に係るレーザ装置は、前記レーザダイオードを２つ以上備え、前記レーザダイオードが、それぞれ別の光コンバイナの入力側に接続されていることを特徴とする。
【００１５】
本発明の一態様に係るレーザ装置は、前記レーザダイオードの数が、前記光コンバイナの入力ポートを合計した数よりも少ないこと特徴とする。
【００１６】
本発明の一態様に係るレーザ装置は、非対称タップカプラを備え、前記非対称タップカプラの入力側が、最後段に配置された前記光コンバイナの出力側に接続されていること特徴とする。
【発明の効果】
【００１７】
本発明によれば、複数の光コンバイナをカスケード接続することにより、大きなスペースを必要とすることなく、レーザ光の平坦度を向上させることができる。
【図面の簡単な説明】
【００１８】
【図１】図１は、本発明の第一実施形態に係るレーザ装置の構成を示す概略図である。
【図２】図２は、光コンバイナを複数段接続した場合の効率について説明するための説明図である。
【図３】図３は、本発明の第二実施形態に係るレーザ装置の構成を示す概略図である。
【図４】図４は、本発明の第三実施形態に係るレーザ装置の構成を示す概略図である。
【図５】図５は、本発明の第四実施形態に係るレーザ装置の構成を示す概略図である。
【図６】図６は、本発明の実施例であり、光コンバイナをカスケード接続させたレーザ装置において、焼灼用レーザダイオードのおよび光コンバイナの数と、レーザ光の平坦度との関係を説明するためのグラフである。
【図７】図７は、本発明の実施例であり、光コンバイナをカスケード接続させたレーザ装置において、焼灼用レーザダイオードのおよび光コンバイナの数と、レーザ光の平坦度との関係を説明するためのグラフである。
【発明を実施するための形態】
【００１９】
本発明に係るレーザ装置について、図面を参照しながら説明する。なお、本発明は以下の実施形態に限定されるものではない。また、以下の実施形態における構成要素には、当業者が置換可能かつ容易なもの、あるいは実質的に同一のものが含まれる。
【００２０】
本発明に係るレーザ装置は、１つ以上の焼灼用レーザダイオード（以下、「焼灼用ＬＤ」という）と２つ以上の光コンバイナとを備えており、光コンバイナ同士が直列に接続（カスケード接続）されていること特徴としている。以下、本発明に係るレーザ装置の実施形態について、図１〜図５を参照しながら説明する。
【００２１】
（第一実施形態）
本実施形態に係るレーザ装置１は、図１に示すように、２つの焼灼用ＬＤ１１ａ，１１ｂと、２つの光コンバイナ１２ａ，１２ｂと、焼灼用ＬＤ１１ａ，１１ｂおよび光コンバイナ１２ａ，１２ｂの間に配置された光ファイバ１３と、を備えている。なお、以降の説明では、複数の焼灼用ＬＤを総称する場合は「焼灼用ＬＤ１１」と表記し、複数の光コンバイナを総称する場合は「光コンバイナ１２」と表記する。
【００２２】
レーザ装置１を医療用カテーテルによるレーザ治療に用いる場合、焼灼用ＬＤ１１から出力される焼灼用光は、いわゆる「生体の窓」と呼ばれる波長帯域の光、すなわち６００ｎｍ〜１５００ｎｍの波長帯域の光である。また、焼灼用ＬＤ１１の出力は、例えば０．１Ｗ以上に設定される。また、各焼灼用ＬＤ１１は、例えば直列に接続され、同一の電源から共通の電流が供給される構成でもよく、別々の電源から異なる電流が供給される構成であってもよい。なお、各焼灼用ＬＤ１１の電流が別々の電源から供給される場合、各焼灼用ＬＤ１１のレーザ光の混合比を変更することができるという利点がある。
【００２３】
焼灼用ＬＤ１１ａは、光ファイバ１３を介して光コンバイナ１２ｂの入力側に接続されている。また、焼灼用ＬＤ１１ｂは、光ファイバ１３を介して光コンバイナ１２ａの入力側に接続されている。焼灼用ＬＤ１１の出力ポートとして使われる光ファイバ１３は、マルチモード光ファイバまたはシングルモード光ファイバである。また、光ファイバ１３の長さは、例えば１ｍ程度である。
【００２４】
ここで、図２に示すように、複数の光コンバイナ１２をカスケード接続させた場合、当該カスケード接続の段数が増えるたびに効率（レーザ光の強度）が低下する。そのため、図１に示すように、２つの焼灼用ＬＤ１１をそれぞれ別の光コンバイナ１２に接続し、１つ当たりの光コンバイナ１２に接続される焼灼用ＬＤ１１の数を最少とすることにより、効率の低下を抑制することができる。また、２つの焼灼用ＬＤ１１をそれぞれ別の光コンバイナ１２に接続した場合、別種の伝搬モードとなっている光が後段の光コンバイナ１２で混合されるため、レーザ光の平坦度が向上する。
【００２５】
焼灼用ＬＤ１１の数は、光コンバイナ１２の入力ポートを合計した数よりも少なくすることが好ましい。言い換えると、光コンバイナ１２は、焼灼用ＬＤ１１が接続されていない入力ポートを一つ以上有することが好ましい。なお、「入力ポート」とは、光コンバイナ１２の入力側のポートのうち、別の光コンバイナ１２と接続されるポート以外のポートのことを意味している。図１に示したレーザ装置１では、焼灼用ＬＤ１１の数：２、光コンバイナ１２の入力ポートを合計した数：３、で構成されている。
【００２６】
光コンバイナ１２は、複数の光を合波（合成）するものである。光コンバイナ１２の入力ポートおよび出力ポートとして使われる光ファイバ１３は、マルチモード光ファイバである。この光ファイバ１３は、例えばコア径１０５μｍ／クラッド径１２５μｍで、アクリレート被膜やポリイミド被膜等の被覆を備えるステップインデックス型光ファイバにより構成される。
【００２７】
光コンバイナ１２は、Ｎ：１光コンバイナであり、好ましくは２：１光コンバイナである。また、光コンバイナ１２は、エンドカップル型またはサイドカップル型のコンバイナである。また、各光コンバイナ１２は、同一の金属製のプレート上に設置される。この金属製のプレートは、放熱板としても機能する。
【００２８】
光コンバイナ１２ａの出力側は、光ファイバ１３を介して光コンバイナ１２ｂの入力側に接続されている。また、光コンバイナ１２ｂの出力側は、光ファイバ１３を介して光出力部２１に接続されている。なお、焼灼用ＬＤ１１に接続されていない光コンバイナ１２ａの空きポートには、焼灼用ＬＤ１１以外の別の光源（例えばモニタ用ＬＤ等）を接続してもよい。
【００２９】
前記したように、複数の光コンバイナ１２をカスケード接続させた場合、当該カスケード接続の段数が増えるたびに効率（レーザ光の強度）が低下する。そのため、図１に示すように、光コンバイナ１２の連続接続段数を二段に留めることにより、効率の低下を極力抑制することができる。また、後段に接続された光コンバイナ１２は、効率が低下するにつれて発熱する場合がある。そのため、光コンバイナ１２ａ，１２ｂのうち、後段の光コンバイナ１２ｂに放熱機構（例えば放熱板）を取り付けて、発熱を抑制してもよい。
【００３０】
光出力部２１は、光コンバイナ１２ｂにより合波された光を出力するものである。光出力部２１の具体的構成は、レーザ装置１の用途によって異なり、例えばレーザ装置１を医療用カテーテルによるレーザ治療に用いる場合、光出力部２１は光プローブ等により構成される。
【００３１】
以上のような構成を備えるレーザ装置１によれば、複数の光コンバイナ１２ａ，１２ｂをカスケード接続することにより、大きなスペースを必要とすることなく、レーザ光の平坦度を向上させることができる。また、レーザ装置１によれば、２つの焼灼用ＬＤ１１ａ，１１ｂをそれぞれ別の光コンバイナ１２ａ，１２ｂに接続することにより、別種の伝搬モードとなっている光が後段の光コンバイナ１２ｂで混合されるため、レーザ光の平坦度が向上する。
【００３２】
また、例えば前記した特許文献２で開示された構成では、レーザ光のモードを変換するために５ｍ以上の長さの光ファイバを配置する必要があったが、本実施形態に係るレーザ装置１では、光コンバイナ１２でレーザ光のモードを変換するため、光ファイバ１３を長くする必要がない。そのため、レーザ装置１は、特許文献２で開示された構成よりも省スペース化を図ることができる。
【００３３】
（第二実施形態）
本実施形態に係るレーザ装置１Ａは、図３に示すように、２つの焼灼用ＬＤ１１ａ，１１ｂと、２つの光コンバイナ１２ａ，１２ｂと、焼灼用ＬＤ１１ａ，１１ｂおよび光コンバイナ１２ａ，１２ｂの間に配置された光ファイバ１３と、を備えている。なお、図３に示した焼灼用ＬＤ１１、光コンバイナ１２、光ファイバ１３および光出力部２１の構成は、前記した第一実施形態と同様である。
【００３４】
焼灼用ＬＤ１１ａ，１１ｂは、光ファイバ１３を介して光コンバイナ１２ａの入力側に接続されている。また、光コンバイナ１２ａの出力側は、光ファイバ１３を介して光コンバイナ１２ｂの入力側に接続されている。また、光コンバイナ１２ｂの出力側は、光ファイバ１３を介して光出力部２１に接続されている。このように、本実施形態に係るレーザ装置１Ａでは、２つの焼灼用ＬＤ１１ａ，１１ｂが同一の光コンバイナ１２ａの入力側に接続されており、二段目に配置された光コンバイナ１２ｂには焼灼用ＬＤ１１が接続されていない。
【００３５】
以上のような構成を備えるレーザ装置１Ａによれば、複数の光コンバイナ１２ａ，１２ｂをカスケード接続することにより、大きなスペースを必要とすることなく、レーザ光の平坦度を向上させることができる。
【００３６】
（第三実施形態）
本実施形態に係るレーザ装置１Ｂは、図４に示すように、２つの焼灼用ＬＤ１１ａ，１１ｂと、３つの光コンバイナ１２ａ，１２ｂ，１２ｃと、焼灼用ＬＤ１１ａ，１１ｂおよび光コンバイナ１２ａ，１２ｂ，１２ｃの間に配置された光ファイバ１３と、を備えている。なお、図４に示した焼灼用ＬＤ１１、光コンバイナ１２、光ファイバ１３および光出力部２１の構成は、前記した第一実施形態と同様である。
【００３７】
焼灼用ＬＤ１１ａ，１１ｂは、光ファイバ１３を介して光コンバイナ１２ａの入力側に接続されている。また、光コンバイナ１２ａの出力側は、光ファイバ１３を介して光コンバイナ１２ｂの入力側に接続されている。また、光コンバイナ１２ｂの出力側は、光ファイバ１３を介して光コンバイナ１２ｃの入力側に接続されている。また、光コンバイナ１２ｃの出力側は、光ファイバ１３を介して光出力部２１に接続されている。このように、本実施形態に係るレーザ装置１Ｂでは、光コンバイナ１２の連続接続段数が三段となっている。
【００３８】
以上のような構成を備えるレーザ装置１Ｂによれば、複数の光コンバイナ１２ａ，１２ｂをカスケード接続することにより、大きなスペースを必要とすることなく、レーザ光の平坦度を向上させることができる。また、レーザ装置１Ｂによれば、光コンバイナ１２の連続接続段数を三段にすることにより、各光コンバイナ１２でより高次のモードを励起させることができる。そのため、光コンバイナ１２の連続接続段数を二段以下とした場合と比較して、高次モードの多いレーザ光を得ることができる。
【００３９】
（第四実施形態）
本実施形態に係るレーザ装置１Ｃは、図５に示すように、２つの焼灼用ＬＤ１１ａ，１１ｂと、２つの光コンバイナ１２ａ，１２ｂと、焼灼用ＬＤ１１ａ，１１ｂおよび光コンバイナ１２ａ，１２ｂの間に配置された光ファイバ１３と、非対称タップカプラ１４と、を備えている。なお、図４に示した焼灼用ＬＤ１１、光コンバイナ１２、光ファイバ１３および光出力部２１の構成は、前記した第一実施形態と同様である。
【００４０】
焼灼用ＬＤ１１ａは、光ファイバ１３を介して光コンバイナ１２ｂの入力側に接続されている。また、焼灼用ＬＤ１１ｂは、光ファイバ１３を介して光コンバイナ１２ａの入力側に接続されている。また、光コンバイナ１２ａの出力側は、光ファイバ１３を介して光コンバイナ１２ｂの入力側に接続されている。また、光コンバイナ１２ｂの出力側は、光ファイバ１３を介して非対称タップカプラ１４の入力側に接続されている。
【００４１】
また、非対称タップカプラ１４の出力側は、光ファイバ１３を介して光出力部２１に接続されている。このように、本実施形態に係るレーザ装置１Ｃでは、最後段に配置された光コンバイナ１２ｂに非対称タップカプラ１４が配置されている。
【００４２】
非対称タップカプラ１４の合成比としては、例えば９９：１、９５：５、９０：１０、７５：２５を設定することができる。また、図５に示した非対称タップカプラ１４は、入力ポートと出力ポートとの比が２：１であるが、入力ポートと出力ポートとの比が１：２や２：２であってもよい。なお、非対称タップカプラ１４の空きポートには、例えばモニタ用ＰＤや、焼灼用ＬＤ１１とは異なる波長を出力する光源等を接続してもよい。
【００４３】
以上のような構成を備えるレーザ装置１Ｃによれば、複数の光コンバイナ１２ａ，１２ｂをカスケード接続することにより、大きなスペースを必要とすることなく、レーザ光の平坦度を向上させることができる。また、レーザ装置１Ｃによれば、最後段の光コンバイナ１２ｂに非対称タップカプラ１４を接続することにより、光コンバイナ１２ｂによって励起された高次モードの光が、非対称タップカプラ１４によって除去され、タップポートからはリングビームが形成される。これにより、メインのポートの光は、合成比に依存した割合で高次モードの光が除去され、平坦度がより向上する。
【実施例】
【００４４】
以下、実施例を挙げて本発明をより具体的に説明する。まず、光コンバイナをカスケード接続させたレーザ装置において、光コンバイナの数と、レーザ光の平坦度および強度との関係について、表１を参照しながら説明する。なお、一般的に、レーザ光のビームプロファイル内での強度分布の半値幅（以下、単に「半値幅」という）が小さいほど平坦度が高い傾向があるため、以下の説明では、半値幅をレーザ光の平坦度を判断する指標として用いる。
【００４５】
【表１】
2020160310.tif 000003
【００４６】
表１に示すように、レーザ光の半値幅は、Ｎｏ．４、Ｎｏ．１、Ｎｏ．２、Ｎｏ．３の順に小さくなる。すなわち、光コンバイナの数が０個〜２個の場合は、光コンバイナの数が多いほど半値幅が小さくなり、平坦度が高くなる。一方、光コンバイナの数が３個の場合は、光コンバイナの数が０個の場合よりも半値幅が小さくなる。これは、光コンバイナが高次モードの光を励振するモードコンバータ機能を備えていることにより、光コンバイナの数が一定以上になると、高次モードの光の割合が増え、平坦度が悪化するためである。なお、平坦度が悪化する光コンバイナの数は、当該光コンバイナの特性にも依存する。
【００４７】
また、表１に示すように、レーザ光の光強度の最大値は、Ｎｏ．１、Ｎｏ．２、Ｎｏ．３、Ｎｏ．４の順、すなわち光コンバイナの数が増えるほど小さくなる。
【００４８】
続いて、光コンバイナをカスケード接続させたレーザ装置において、焼灼用ＬＤの接続方法および光コンバイナの数と、レーザ光の平坦度および強度との関係について、表２を参照しながら説明する。
【００４９】
【表２】
2020160310.tif 000004
【００５０】
ここで、表２のＮｏ．５〜１０は、それぞれ以下のような構成を示している。
Ｎｏ．５：焼灼用ＬＤが１つのみ配置され、光コンバイナを備えない構成
Ｎｏ．６：２つの焼灼用ＬＤが１つの光コンバイナに接続されている構成
Ｎｏ．７：図３の構成
Ｎｏ．８：図１の構成
Ｎｏ．９：図４の構成
Ｎｏ．１０：図４において、焼灼用ＬＤ１１ｂのそれぞれが、光コンバイナ１２ｂのそれぞれの入力側に接続されている構成
【００５１】
表２に示すように、レーザ光の半値幅は、Ｎｏ．９、Ｎｏ．５、Ｎｏ．６、Ｎｏ．７、Ｎｏ．８、Ｎｏ．１０の順に小さくなる。すなわち、光コンバイナの連続接続段数が三段であり、一段目および二段目の光コンバイナの入力側にそれぞれ焼灼用ＬＤが接続された構成が最も半値幅が小さく、平坦度が高くなる。
【００５２】
また、表２に示すように、レーザ光の光強度の最大値は、Ｎｏ．５、Ｎｏ．６、Ｎｏ．８、Ｎｏ．７、Ｎｏ．１０、Ｎｏ．９の順に小さくなる。すなわち、光コンバイナの連続接続段数が三段であり、一段目の光コンバイナの入力側に２つの焼灼用ＬＤが接続された構成（図４参照）が最も光強度が小さくなる。
【００５３】
続いて、光コンバイナをカスケード接続させたレーザ装置において、焼灼用ＬＤの位置および光コンバイナの数と、レーザ光の平坦度との関係について、図６および図７を参照しながら説明する。本実施例では、複数の構成のレーザ装置から照射されたレーザ光の光強度マップを作成し、当該光強度マップの各ピクセルの光強度データを集約してヒストグラムを形成することにより、図６および図７に示すグラフを作成した。同図の横軸はレーザ光の光強度であり、縦軸は、横軸に示した光強度となる確率密度である。そのため、同図では、グラフが立っているほどレーザ光の平坦度が高く、グラフが平坦であるほどレーザ光の平坦度が低くなる。
【００５４】
ここで、図６および図７の比較例１，２、本発明例１〜４は、それぞれ以下のような構成を示している。
比較例１：焼灼用ＬＤが１つのみ配置され、光コンバイナを備えない構成
比較例２：２つの焼灼用ＬＤが１つの光コンバイナに接続されている構成
本発明例１：図３の構成
本発明例２：図４の構成
本発明例３：図１の構成
本発明例４：図５の構成
【００５５】
図６および図７に示すように、光コンバイナを備えない比較例１と、光コンバイナを備える比較例２、本発明例１〜４とを比較すると、後者の平坦度が高いことがわかる。また、光コンバイナを１つ備える比較例２と、光コンバイナを２つ備える本発明例１，３，４とを比較すると、後者の平坦度が高いことが分かる。また、光コンバイナを２つ備える本発明例１，３，４と、光コンバイナを３つ備える本発明例２とを比較すると、前者の平坦度が高いことが分かる。また、比較例１，２および本発明例１〜４のうち、光コンバイナを２つ備え、かつ最後段の光コンバイナに非対称タップカプラが接続された本発明例４が、最も平坦度が高いことが分かる。
【００５６】
以上、本発明に係る実施形態に係るレーザ装置について、発明を実施するための形態および実施例により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【００５７】
例えば、前記した第三実施形態では、カスケード接続される光コンバイナ１２の数が３つである構成を説明したが（図４参照）、より高次モードの多いレーザ光を得たい場合は、光コンバイナ１２の数を４つ以上としてもよい。
【００５８】
また、前記した実施形態では、レーザ装置１，１Ａ，１Ｂ，１Ｃを、医療用カテーテル等で使用することを想定した説明を行ったが、レーザ装置１，１Ａ，１Ｂ，１Ｃの用途は医療用に限定されない。
【符号の説明】
【００５９】
１，１Ａ，１Ｂ，１Ｃ  レーザ装置
１１，１１ａ，１１ｂ  焼灼用ＬＤ
１２，１２ａ，１２ｂ，１２ｃ  光コンバイナ
１３  光ファイバ
１４  非対称タップカプラ
２１  光出力部
【図１】
2020160310.tif 000005
【図２】
2020160310.tif 000006
【図３】
2020160310.tif 000007
【図４】
2020160310.tif 000008
【図５】
2020160310.tif 000009
【図６】
2020160310.tif 000010
【図７】
2020160310.tif 000011